(57)【要約】 【課題】  商品を収納して顧客に渡す商品包装を兼ねた手提げ袋の提手に関する。【解決手段】  口元部の内側に補強片６を接着し、所要幅を内側に折返して二重にした口元補強部２１を設けてなる手提げ袋１において、前記口元補強部２１に対をなして設ける円形部２２の中心Ｏを通る水平直線２３と該円形部の上方の半円切取部２４とを切抜いて通孔２５を形成し、該中心Ｏから垂直方向に切込線２７を設けて下方の半円部を２つの１／４円形をしたカバー片２８，２８を形成し、該カバー片２８，２８の基部であって前記円形部２２の軌跡上にミシン目などの折線２９を設け、前記通孔２５の口径より小径な提手紐８の端部を該通孔に外方から挿入し、該提手紐８の下方と該通孔との間に生じる空間部分を前記カバー片で覆うようにしてなるものである。【選択図】  図１６
2005080705.tif 000002
【特許請求の範囲】
【請求項１】
口元部の内側に補強片を接着し、所要幅を内側に折返して二重にした口元補強部（２１）を設けてなる手提げ袋（１）において、
前記口元補強部（２１）に対をなして設けた円形部（２２）の中心（Ｏ）を通る水平直線（２３）と該円形部の上方の半円切取線（２４）とを切抜いて通孔（２５）を形成し、該中心（Ｏ）から垂直方向に切込線（２７）を設けて下方の半円部に２つの１／４円形をしたカバー片（２８，２８）を形成し、該カバー片（２８，２８）の基部であって前記円形部（２２）の軌跡上にミシン目などの折線（２９）を設け、
前記通孔（２５）の口径より小径な提手紐（８）の端部を前記通孔に外方から挿入し、該提手紐（８）の下方と該通孔との間に生じる空間部分を前記カバー片で覆うようにしてなることを特徴とする手提げ袋の提手。
【請求項２】
口元部の内側に補強片を接着し、所要幅を内側に折返して二重にした口元補強部（２１）を設けてなる手提げ袋（１）において、
前記口元補強部（２１）に対をなして設けた円形部（２２ａ）の中心（Ｏ）を通る水平直線の両端側を夫々上方に湾曲させて設けた弧状曲線（２３ａ）と該円形部の上方の半円切取線（２４ａ）とを切抜いて楕円形をした通孔（２５ａ）を形成し、該中心（Ｏ）から垂直方向に切込線（２７ａ）を設けて下方の半円部に２つの１／４円形をしたカバー片（２８ａ，２８ａ）を形成し、該カバー片（２８ａ，２８ａ）の基部であって前記円形部（２２ａ）の軌跡上にミシン目などの折線（２９ａ）を設け、
前記通孔（２５）の口径より小径な提手紐の端部を該通孔に外方から挿入し、該提手紐（８）の下方と該通孔との間に生じる空間部分を前記カバー片で覆うようにしてなることを特徴とする手提げ袋の提手。
【請求項３】
口元部の内側に補強片を接着し、所要幅を内側に折返して二重にした口元補強部（２１）を設けてなる手提げ袋（１）において、
前記円形部（２２ｂ）の円周を四等分してその中心（Ｏ）を支点に左右及び下方に３ケの１／４円形をしたカバー片（２８ｂ）を設け、上部に位置する１／４円形部分は上方の半円切取線（２４ｂ）とその両側に設けた斜切取線（２７ｂ，２７ｂ）とで１／４円形をした通孔（２５ｂ）を設け、残りの左右及び下方の各カバー片（２８ｂ）の間には前記斜切取線を（２７ｂ，２７ｂ）を設け、各カバー片２８ｂの基部であって前記円形部の軌跡上に折線（２９ｂ）を設け、
前記通孔の口径より小径な提手紐（８）の端部を該通孔に外方から挿入し、該提手紐（８）の下方と該通孔との間に生じる空間部分を前記カバー片で覆うようにしてなることを特徴とする手提げ袋の提手。
【請求項４】
口元部の内側に補強片を接着し、所要幅を内側に折返して二重にした口元補強部（２１）を設けてなる手提げ袋（１）において、
扁平に変形させた提手紐（８）が挿通できる上下の巾で左右に長くして横長の扁平な通孔（２５ｃ）を設け、該通孔の左右部分及び上方部分を連続して略Ｃ型をした切込線２４Ｃを設けると共に、該通孔２５Ｃの下方に水平折線２９ｄを設けて上方を開閉する蓋片（３２）を形成し、
前記通孔２５ｃの外方から提手紐の端部を挿入し、該提手紐(８)の下方と該通孔との間に生じる空間部分を前記カバー片で覆うようにしてなることを特徴とする手提げ袋の提手。
【請求項５】
口元部の内側に補強片を接着し、所要幅を内側に折返して二重にした口元補強部（２１）を設けてなる手提げ袋（１）において、
下向きＵ字状をした通孔（２５ｅ）の下方に凸部片（４１）を設け、前記通孔の口径より小径な提手紐の端部を該通孔に外方から挿入し、該提手紐（８）の下方と該通孔との間に生じる空間部分を前記凸部片（４１）で覆うようにしてなることを特徴とする手提げ袋の提手。
【発明の詳細な説明】
【技術分野】
【０００１】
本発明は、商品を収納して顧客に渡す商品包装を兼ねた手提げ袋の提手に関するものである。
【背景技術】
【０００２】
従来、デパートや小売店などで購入した商品の持ち運びを容易にするため、包装した各種商品を収容する提手を具えたサービス紙袋が使用されている。この手提げ袋に提手紐を取付けるには様々な方法がある。例えば、手提げ袋の口元の両側に補強を兼ねた厚紙を接着してなる口元部にテープ状をした提手紐の端部を接着して固定している（例えば、特許文献１参照。）。
【０００３】
手提げ袋の口元の両側に設けた口元部に挿通孔を設け、該挿通孔に提手紐を挿通して取付ける代表的な方法を示した図1、２において、正面部２ａと後面部２ｂと両側面部３，３と底面部４とで紙袋体１０を構成し、この紙袋体１０の口元内側に厚紙などの補強片６，６を接着して内側に所定幅を折り返して補強してなる口元部５を正面側及び後面部に具えた手提げ袋１を形成してある。口元部５，５に設けた挿通孔７，７に提手紐８，８を挿通させ、該提手紐の端部に結び目９，９を設けて該挿通孔７の内側に掛止してある（例えば、特許文献２参照。）。
【０００４】
手提げ袋１の口元部の両側に形成した挿通孔７，７に提手紐８，8を挿通して掛止させるために、該提手紐の端部にいちいち結び目９，９を作る作業は、機械化が困難なため機械加工によって製作した紙袋体１０に作業員が手作業によって行っているが、この作業は作業員の熟練を必要とすると共に、煩雑で手間がかかり効率が悪いという欠点を有していた。
【０００５】
他の方法を示した図３、４において、手提げ袋１ａの口元部の内側に補強片６ａを接着し、その上部を中間部分から所望幅を内側に折曲げて補強片６ｂを形成して、該補強片６ａ及び手提げ袋１ａに挿通孔７を設け、他の補強片６ｂには挿通孔を形成してない。そして、挿通孔７に挿通させた提手紐８の端部８ａを両補強片６ａ，６ｂの間に挿入して接着固定してある（図４）。この場合、提手紐８の端部８ａは、単に切断しただけで何ら端末加工してないと拡がって挿通孔７に挿入し難くなるので、該挿通孔の大きさを調整するか、提手紐の端部が広がらないように加工するのが好ましい。さらに、提手紐の端部は両補強片６ａ、６ｂの間に挟持されるため、手提げ袋１ａ内への品物の出し入れの際に該提手紐の端部が邪魔になることはない。
【０００６】
図５、６において、提手紐８の端部には該提手紐の直径より横巾が広く、且つ、上下方向の長さも提手紐の直径より長くて支持部材となる可撓性を有した掛止片１３を取付けてある。即ち、掛止片１３の下端から略中間部に位置する提手紐８の端部は、保持片１４を用いて該掛止片に接着固定してある。この掛止片１３を提手紐８の周面に丸め、巾寸法を短くした状態で該挿通孔７に挿通させ、それによって該掛止片はその弾性により元の状態に復帰し、該掛止片７の内側に掛止させて手提げ袋１ｂに取付けてある（例えば、特許文献３参照。）。
【０００７】
【特許文献１】特開平１０−２３９１６号公報    図１
【特許文献２】特開２００３−２６１８６号公報  図１
【特許文献３】特開２００２−３４６３０号公報  図１
【０００８】
図７は、手提げ袋の本体である紙袋体１０を展開して口元部の内側を示したもので、正面部２ａ又は後面部２ｂの内面に接着する補強片６は、前もって中間部分に横方向にミシン線などの折目１５を設け、この折目から裏面に補強片６を接着させた紙袋体１０の上部を内側に折り返して口元部を二重にし、補強片の位置する口元部に挿通孔を貫通させてある。この場合、図８に示すように、中間部に何ら折目を設けない補強片６ｘを、紙袋体１０の内側に接着してから公知の機械を用いて紙袋体１０と補強片６ｘとを一体にミシン線などの折目１５ａから内側に折り返して二重にして挿通孔を形成してもよい。この場合、折目を設けるのに比較的小さな力でよいので紙袋体に傷を付けることがないという利点がある。また、この補強片６を中間から折り曲げて形成した補強片６ａ，６ｂの両方に同時または異時に通孔を設けてもよいし、または、一方の補強片６ａにのみ挿通孔７を設け、他方の補強片６ｂに挿通孔７を設けない場合もある。図中、２ｃ、２ｄは、正面部２ａ及び後面部２ｂと交互に設けたまち部で、一方のまち部２ｄに連続して接着剤を塗布した細巾の接着部片２ｅを設けてある。
【０００９】
図７に示すように、中間部に折線１５を設けた補強片６を紙袋体１０に接着させ、また、図８に示すように、中間部の折線１５ａを設けない補強片６ｘを紙袋体１０に接着させた後、該紙袋体ごと設けた折目１５ａにより二つ折した一方の補強片６ｂを紙袋体の上方に、また、他方を補強片６ａの下側に位置させ、このように中間部分に設けた折目１５，１５ａを二つ折りにした補強片６ａ，６ｂを紙袋体１０の口元内面に接着してある。図７に示した補強片６は中間から折曲げた補強片の復元力が強いので、図９に示すように、補強片を折目１５ａの両側に多少間隔を存して補強片６ｃ，６ｄとに分離して設けて接着してもよい。この場合、図１０に示すように、両補強片６ｃ，６ｄの間に設けた折目部分１０ｂは、その裏面に補強片を有していないので、紙袋体の上部を折目１５ａから内側に容易に折り曲げることができ矢印で示す方向に押圧して接着剤で接着させるので、作業性は向上するが紙袋体１０の裏側に補強片を有していないので、この部分は強化されない。
【００１０】
図１１に示すように、従来の一般的な紙袋体の表面部及び裏面部の上部に設けた口元部の内面に設けた折目１５ａの上側に、補強片１６ｅをそれぞれ接着するがこの紙袋体の端部の表面側と補強片６ｆとの間に提手紐を接着させるので、この紙袋体の表面側に、該提手紐の形状が突出するという問題点がある。また、この提手紐を介在させて補強片６ｆを内面側に接着させた紙袋体１０に、補強片を有していないので強度が弱いという問題点がある。
【００１１】
さらに、図１２に示すように、紙袋体１０の口元部に設けた折目１５ｂの下側に補強片６ｆを夫々接着し、この口元部を内側に折り返した紙袋体１０も図１３に示すように存在する。即ち、この補強片６ｅに設けた通孔から提手紐を挿通して端部を上方に折り曲げ、該提手紐の内側に該提手紐を位置させて、折返片１０ｂを接着剤で補強片に接着してある。このように補強片を一体に形成して中間から折り曲げたり、別体に形成したりするなど種々あった。
【００１２】
図１４に示すように、手提げ袋１にボール盤などで形成した挿通孔７に提手紐８を挿入する作業を容易にするには、提手紐８の外径Ｘより挿通孔７の口径Ｙを大きく形成する必要がある。この場合、該挿通孔の口径Ｙと提手紐８の外径Ｘとの間の間隙が小さいと、提手紐を挿通させる作業能率が低下するので、挿通孔の口径Ｙと提手紐の外径Ｘとの間には一定のクリアランスＺを設けて作業性を高めている。さらに、提手紐８をもって手提げ袋１を保持すると挿通孔に当接する部分は該手提げ袋の重さ等が加わり扁平となり、該クリアランスＺが広がって該提手紐８の下側に位置して空間部１２が生じる。この空間部の存在が違和感を生ぜしめ、手提げ袋の外観のデザインを損なうという問題点を有している。
【発明の開示】
【発明が解決しようとする課題】
【００１３】
上記のように、手提げ袋１の口元に位置する口元補強部に設けた挿通孔７，７を設ける場合、一度に数枚、例えば５、６枚程度の枚数の手提げ袋を重ねてボール盤などで孔を形成しているため該孔は必然的に円孔となる。そして、提手紐８の挿入を容易にするため挿通孔の口径Ｙと提手紐の外径Xとの間に一定のクリアランスＺを設けて、手作業又は機械作業による提手紐の挿入を効率的に高めている。
【００１４】
そのため、図１、１４に示すように提手紐８をもって手提げ袋１を持上げると、挿通孔７に挿通した提手紐８の下方と挿通孔７との間に空間部１２が生じてしまう。そして、図２に示すように、手提げ袋内に位置する提手紐の端部に設けた結び目９や、図４に示した手提げ袋内に位置する提手紐の端部を面側から接着している補強片６ｂや、さらに、図６に示した手提げ袋内に位置する提手紐の端部の背面に位置した掛止片１３が、挿通孔７の提手紐８の下方に生じる空間部１２を通して手提げ袋１の外側に露呈して違和感が生じてデザイン上好ましくないという問題点があった。
【００１５】
さらに、図２に示すように、挿通孔７に外側から挿通した提手紐８の端部に設けた結び目９が口元内部に突出していると、この袋内への品物の出し入れの際に、該結び目９が邪魔になつたり、多数の手提げ袋を積み重ねた場合にかさ張ってしまうという問題点も有していた。
【００１６】
本発明は、手提げ袋に設けた通孔を特殊な形状にし、該通孔に挿入させる提手紐と通孔との間に生じる空間部を、該通孔に連続して設けたカバー片によって覆って前記空間部を設けないようにすることを目的とするものである。
【課題を解決するための手段】
【００１７】
上記課題を解するために、本発明は、口元部の内側に補強片を接着し、所要幅を内側に折返して二重にした口元補強部２１を設けてなる手提げ袋１において、前記口元補強部２１に対をなして設けた円形部２２の中心Ｏを通る水平直線２３と該円形部の上方の半円切取腺２４とを切抜いて通孔２５を形成し、該中心Ｏから垂直方向に切込線２７を設けて下方の半円部に２つの１／４円形をしたカバー片２８，２８を形成し、該カバー片２８，２８の基部であって前記円形部２２の軌跡上にミシン目などの折線２９を設け、前記通孔２５の口径より小径な提手紐８の端部を前記通孔に外方から挿入し、該提手紐８の下方と該通孔との間に生じる空間部分を前記カバー片で覆うようにしてなることを特徴とする。そのため提手紐が挿通した後、カバー片は元の状態に復帰し、該提手紐の下方と通孔との間に生じる空間部分は覆われて違和感は生じない。
【００１８】
また本発明は、口元部の内側に補強片を接着し、所要幅を内側に折返して二重にした口元補強部２１を設けてなる手提げ袋１において、前記口元補強部２１に対をなして設けた円形部２２ａの中心Ｏを通る水平直線の両端側を夫々上方に湾曲させて設けた弧状曲線２３ａと該円形部の上方の半円切取線２４ａとを切抜いて楕円形をした通孔２５ａを形成し、該中心Ｏから垂直方向に切込線２７ａを設けて下方の半円部に２つの１／４円形をしたカバー片２８ａ，２８ａを形成し、該カバー片２８ａ，２８ａの基部であって前記円形部２２ａの軌跡上にミシン目などの折線２９ａを設け、前記通孔２５の口径より小径な提手紐の端部を該通孔に外方から挿入し、該提手紐８の下方と該通孔との間に生じる空間部分を前記カバー片で覆うようにしてなることを特徴とする。そのため提手紐が挿通した後、カバー片は元の状態に復帰し、該提手紐の下方と通孔との間に生じる空間部分は覆われて目立たなくなる。また、このカバー片上部の外側部に、上方に角度をつけて弧状に形成して空間部分を少なくしたため、提手紐と通孔との間に生じる隙間が目立たなくなる。
【００１９】
さらに本発明は、口元部の内側に補強片を接着し、所要幅を内側に折返して二重にした口元補強部２１を設けてなる手提げ袋１において、前記円形部２２ｂの円周を四等分してその中心Ｏを支点に左右及び下方に３ケの１／４円形をしたカバー片２８ｂを設け、上部に位置する１／４円形部分は上方の半円切取線２４ｂとその両側に設けた斜切取線２７ｂ，２７ｂとで１／４円形をした通孔２５ｂを設け、残りの左右及び下方の各カバー片２８ｂの間に前記斜切取線２７ｂ，２７ｂを設け、各カバー片２８ｂの基部であって前記円形部の軌跡上に折線２９ｂを設け、前記通孔の口径より小径な提手紐８の端部を該通孔に外方から挿入し、該提手紐８の下方と該通孔との間に生じる空間部分を前記カバー片で覆うようにしてなることを特徴とする。
【００２０】
また本発明は、口元部の内側に補強片を接着し、所要幅を内側に折返して二重にした口元補強部２１を設けてなる手提げ袋１において、扁平に変形させた提手紐８が挿通できる上下の巾で左右に長くて横長の扁平な通孔２５ｃを設け、該通孔の左右部分及び上方部分を連続して略Ｃ型をした切込線２４Ｃを設けると共に、該通孔２５ｃの下方に水平折線２９ｄを設けて上方を開閉する蓋片を形成し、前記通孔２５ｃの外方から提手紐の端部を挿入し、該提手紐８の下方と該通孔との間に生じる空間部分を前記カバー片で覆うようにしてなることを特徴とする。
【００２１】
また本発明は、口元部の内側に補強片を接着し、所要幅を内側に折返して二重にした口元補強部２１を設けてなる手提げ袋１において、下向きにＵ字状をした通孔２５ｅの下方に凸部片４１を設け、前記通孔の口径より小径な提手紐の端部を該通孔に外方から挿入し、該提手紐８の下方と該通孔との間に生じる空間部分を前記凸部片４１で覆うようにしてなることを特徴とする。
【発明の効果】
【００２２】
上記のように、一部にカバー片を連続して設けてある通孔に提手紐を挿通させる場合、該カバー片を手提げ袋の内側に撓ませて挿入させることができる。そして、この提手紐を引き戻して提手紐の端部を通孔の内側に掛止して上方に持上げると、該提手紐はやや扁平となって該通孔に掛止し、前記カバー片はその復元力により元の位置に復帰するので、該提手紐の下方に、違和感となる空間部分が生じないスマートな手下げ袋を提供することができる。また接着剤を用いて掛止片やカバー片を紙袋体に接着すれば、紙袋体野口元部の強度を増すことができる。また、手提げ袋の内部に結び目などの突出部がないので商品の出し入れは容易となり、この袋を積み重ねてもかさ張ることがない利点がある。
【発明を実施するための最良の形態】
【００２３】
本発明の実施の形態を図面に基づいて説明すると、図１５、１６に示すように、手提げ袋１の口元の内部に補強片を接着させて所要幅を内側に折り返して二重に形成した口元補強部２１に対をなして円形部２２，２２を設けてある(図面は１ケ示している)。この円形部２２の中心Ｏを通る水平直線２３と該円形部の上半分をなす半円切取線２４とからなる略半円状の通孔２５を切抜いて形成してある。さらに、中心Ｏから垂直方向に切込線２７を設けて下方の半円部に２つの１／４円形をしたカバー片２８，２８を設けてある。
【００２４】
この円形部２２の上方に設けた半円切取線２４と、その中心Ｏを通る水平直線２３とで囲った内部を切り取って形成し、さらに、この円形部の下半分の中心に形成した垂直な切取線２７によって設けた２つの１／４円形をしたカバー片２８，２８の基部であって前記円形部２２の軌跡上にミシン目などの折線２９を設けてあるが、この折線は必ずしも必要ではない。そして、このカバー片２８，２８は裏面に補強片６ａを接着してあるので弾性を有しているので、元の位置に戻る復帰する作用を有している。
【００２５】
この円形部２２に前記掛止片を具えた提手紐８を挿通させる場合には、図５に示した提手紐８の端部に取付けた掛止片１３を該提手紐の周囲に沿って丸めて幅を狭くし、作業員が機械または手作業により円形部２２と提手紐８との間に設けたクリアランスＺを利用して挿入する。この提手紐の上部側は通孔２５を通り、該提手紐の下部側は円形部２２の下方に位置する２つのカバー片２８，２８を内側に押し込みながら挿入する。ここで、掛止片１３は通孔２５を設けてある円形部２２の口径より上下方向及び左右方向に大きくて折曲できるよう可撓性を有する部材で形成してある。
【００２６】
提手紐８の端部を円形部２２に挿入した後、該提手紐８を外側に引き出すと掛止片１３が通孔２５の内側に掛止し、さらに上方に引き上げて手提げ袋を持上げると、該提手紐と通孔との当接部分は袋の重みで圧縮されて該提手紐８は扁平になって通孔２５内に位置し、該通孔の下側に位置する２つのカバー片２８，２８は元の状態に復帰するので、従来の空間部１２（図１４）は生じない。この場合、カバー片２８，２８は、必要に応じて通孔２５の内側に掛止する掛止片１３及び口元補強片２１の内面にホットメルトなどの接着剤により接着固定すれば、一層強度を示すことができる。そして、この手提げ袋の口元部の内方には結び目などの突起物が存在しないので、商品の出し入れが容易となる。この場合、提手紐８と水平直線２３との間で、且つ、該提手紐の下部両側には多少の空間部分２６（図１６）は生じるが、ほとんど違和感はない。このように、通孔２５の上半分は半円切取線２４、下方は水平直線２３で形成してあり、通孔２５の形状が簡素なため金型のコストが比較的安価となり、孔あけ作業を効率よく行なうことが出来る。
【００２７】
さらに、提手紐の端末処理をしない提手紐８の端部８ａを外方から前記通孔２５に挿通し、通孔を設けた補強片６ａと通孔を設けない補強片６ｂとの間に挿入してホットメルトなどの接着剤で接着して固定すると両補強片の強度は高まり、手提げ袋の口元部内への商品の出し入れは容易となる。
【００２８】
本発明の第２実施形態を図１７、１８に基づいて説明すると、手提げ袋１の口元内部に補強片を接着させて所要幅を内側に折り返して二重に形成した口元補強部２１に対をなして円形部２２ａを設けてある(図面は１ケ示している)。この円形部２２ａの中心Ｏを通る図１０に示した水平直線２３の両端は、夫々角度を付けて上方に湾曲させて設けた弧状曲線２３ａと、該円形部の上半分をなす半円切取線２４ａとで略楕円形をした通孔２５ａを切抜いて形成する。さらに、中心Ｏから垂直方向に切込線２７ａを設けて下方の半円部に２つの１／４円形をしたカバー片２８ａ，２８ａを設けてある。
【００２９】
この円形部２２ａの上方に設けた半円切取線２４ａと、下方に設けた弧状曲線２３ａとで楕円形をした通孔２５ａを形成してある。この通孔２５ａの下半分に設けた２つの１／４円形をしたカバー片２８ａ，２８ａの基部であって前記円形部２２の軌跡上にミシン目などの折線２９ａを設けてあるが、この折線は必ずしも必要ではない。
【００３０】
この円形部２２ａに提手紐８を挿通させる場合、図５に示すように、提手紐の端部に設けた掛止片１３を丸めて幅を狭くし、作業員が機械または手作業により提手紐８の端部を保持し、円形部２２ａと提手紐８との間に設けたクリアランンスＺを利用し、図１８に示すように提手紐８を挿入させると、提手紐８の上側部分は通孔２５ａ内に、また、該提手紐の下側部分は円形部２２ａの下方に位置した２つの１／４円形をしたカバー片２８，２８を内側に押し込みながら挿入する。
【００３１】
円形部２２ａに挿入した提手紐８を外側に引き出して掛止片１３を通孔２５ａの内側に掛止させ、上方に引き上げて手提げ袋１を持上げると、通孔の上方に当接する提手紐８は袋の重みで圧縮されて扁平になって通孔２５ａ内に位置し、２つの１／４円形をしたカバー片２８ａ，２８ａは元の状態に復帰し、従来のような空間部１２（図１４）は生じない。この場合、図１８は図１６と相違して提手紐８の下方とカバー片の上縁部分である弧状曲線２３ａとの間には殆ど空間部分が生じないので、手提げ袋のデザインが劣化することがない。
【００３２】
円形部２２ａの一部に設けた通孔２５ａは、上方の半円切取線２４ａと下方に設けて両端を夫々上方に角度を有して弧状に形成した弧状曲部２３ａとで設けてあり、該弧状曲部の下側に位置した２つの１／４円形をしたカバー片２８ａ，２８ａの上部外側にはそれぞれ弧状片を連続して形成してあるので、提手紐８の下方と通孔２５ａとの間には殆ど空間部を生じない。該提手紐が挿入した後、前記カバー片は元の状態に復帰する。必要なら掛止片１３を接着剤でカバー片及び紙袋体に接着してもよい。この通孔２５ａの形状は，楕円形であって複雑な形をしているので金型は高価となるが、手提げ袋の仕上りは極めて良好となる。さらに，手提げ袋の内部に結び目がないので，商品の出し入れが容易となり、またこの袋を積重ねてもかさ張る量は少ないという利点がある。
【００３３】
また、端末処理をしない提手紐の端部８ａは、前記通孔２５ａに外方から挿入し、通孔を設けた補強片６ａと通孔を設けない補強片６ｂとの間に挿入してホットメルトなどの接着剤で接着すると補強片の強度は高まり、提手紐も扁平状態となる。この場合、必ずしも接着剤で接着させなくてもよい。
【００３４】
本発明の第３実施形態を図１９に基づいて説明すると、円形部２２ｂの中心Ｏを支点に左右及び下方に３ケの１／４円形をしたカバー片２８ｂを設け、上部に位置する１／４円形部分は半円切取線２４ｂとその両側に連続して中心Ｏ方向に設けた斜切取線２７ｂ，２７ｂの内部を切り取って１／４円形をした通孔２５ｂを設けてある。この円形部２２ｂの左右及び下方に設けた各１／４円形をしたカバー片２８ｂ，２８ｂはそれぞれ９０度の角度を存して下方に前記斜切取線２７ｂ，２７ｂを延長して設けてあり、３ケの１／４円形をしたカバー片２８ｂの基部には前記円形部２２ｂ状の軌跡上に折線２９ｂを形成してあるが、この折線は必ずしも必要ではない。
【００３５】
そのため、提手紐８の端部に設けた掛止片１３を丸めて円形部２２ｂに挿通すると、３ケの１／４円形をしたカバー片２８ｂは内側に押し込まれ、掛止片１３は該通孔２５ｂの内側に掛止する。ついで、提手紐を持ち上げると提手紐は扁平になって１／４円形をした通孔２２ｂ内に位置し、３ケの１／４円形をしたカバー片２８ｂが元の位置に復帰するため、該提手紐８の下方には従来のような空間部は生じないので、該提手紐の下方に違和感は生じないものである。この掛止片とカバー片を必要に応じてホットメルトなどの接着剤で接着させれば強度は一層高まるし、手提げ袋の内部に結び目が突出しないので商品の取出しが容易となり、また、複数の手提げ袋をかさ張ることなく積み重ねることができる。
【００３６】
さらに、端末処理をしない提手紐８の端部８ａを前記通孔２５ｂに外方から挿通し、該提手紐の端部８ａを、該通孔を設けた補強片６ａと該通孔を設けない補強片６ｂとの間に挿入して挟持させる。この場合、両補強片をホットメルトなどの接着剤で接着させてもよい。
【００３７】
本発明の第４実施形態を図２０に基づいて説明すると、提手紐の外径より狭く、かつ、該提手紐が扁平に変形できるように左右方向に長くて横長扁平にした通孔２５ｃの左右方向の長さは図５に示す掛止片１３よりも通常は短く形成してあるが、長くても該掛止片を湾曲させれば挿通できる。即ち、この掛止片１３はホットメルトなどの接着剤で口元補強部２１の内面に接着固定すれば通孔内を左右に移動しない。また、通孔２５ｃの両端は弧状に形成してあるが、垂直面その他の形状でも良い。さらに、この通孔２５ｃは、横長扁平をした略円形部の下側にミシン目などの折線２９ｄを設け、該円形部の両側および上側に連続して略Ｃ型切込線２４ｃを設けることにより、略Ｃ型の外形をして上方は開閉可能にし、下方は前記折線２９ｄを介して口元補強部２１に連続して蓋片３２を設けてある。そのため、提手紐の下方は蓋片３２でカバーされるので、従来のように提手紐の下方と通孔２５ｃとの間に空間部を生じないので違和感を生じることがない。また、必要に応じて接着剤で接着してもよい。
【００３８】
また、端末処理をしない提手紐８の端部８ａを、前記通孔２５ｃに外方から挿通し、該提手紐の端部８ａは該通孔を設けた補強片６ａと該通孔を設けない補強片６ｂとの間に挿入して挟持する。そして，必要に応じて両補強片をホットメルトなどの接着剤で接着させてもよいものである。
【００３９】
さらに、図２１に示すように、図２０に示した小判型をした蓋片３２の上方中間部に凹入部３３を設けて蓋片３２ａを設けてあれば、この通孔２５ｃに挿入した提手紐は、該凹入部３３内に収容され、該蓋片３２ａによって該提手紐の下方に生じる空間部を覆うようにしてあるので、従来のような空間部を生じることがなく、何らの違和感も生じることがない利点がある。この場合、断面が方形をしたテープ状紐８ｃを用いると、前記凹入部３３と密着して両者の間にほとんど空間部分が生じないという利点がある。
【００４０】
本発明の第５実施形態を図２２、２３により説明すると、口元補強部２１に下向きのＵ字状をした通孔２５ｅを設け、この通孔２５ｅの下方には、提手紐８の下方に生じる空間部を山形にした凸部片４１で覆ってもよい（図２２）し、また、図２３に示す突部片４１ａの中心に垂直方向に切込線２７ｃを設けて該凸部片が左右に分かれて二分できるようにしても良い。この通孔２５ｅ内に挿入させた提手紐の下方は該凸部片４１または４１ａによって覆って空間部分の発生を防止している。このように、通孔２５ｅは逆Ｕ字状に形成してあるので、提手紐の端部に接着した掛止片１３を該通孔の形に合わせて湾曲させれば容易に該通孔に挿入させることができる。この凸部片４１，４１ａは必要に応じて接着剤で内側に位置する補強片にホットメルトなどの接着剤で掛止片や紙袋体に接着させてもよい。
【００４１】
さらに、端末処理をしない提手紐８の端部を前記通孔２５ｅに外方から挿通し、該提手紐の端部を該通孔に設けた補強片６ａと該通孔を設けない補強片６ｂとの間に挿入させて挟持してもよい。さらに、両補強片を必要に応じてホットメルトなどの接着剤を用いて該掛止片や紙本体に接着させてもよいものである。
【図面の簡単な説明】
【００４２】
【図１】従来の一般的な形状をした手提げ袋の斜視図である。
【図２】図１に示した手提げ袋に提手紐の端部を取付けた状態を示す要部拡大断面図である。
【図３】手提げ袋に提手紐の端部を取付ける前状態を示す要部拡大断面図である。
【図４】図３に示した手提げ袋に提手紐を取付けた状態の要部拡大断面図である。
【図５】提手紐の端部に掛止片を固着した状態を示す拡大斜視図である。
【図６】図５に示す提手紐を手提げ袋に設けた挿通孔に取付けた状態の要部拡大断面図である。
【図７】中間に折目を設けた補強片を手提げ袋の口元部の内面に接着させた手提げ袋を展開させて内面を示す説明図である。
【図８】中間に折目のない補強片を手提げ袋の口元部の内面に接着させた手提げ袋を展開させて内面を示す説明図である。
【図９】手提げ袋の口元部の上部に設けた折返線の上下両側に夫々対をなして別個の補強片を接着させた手提げ袋を展開させて内面を示した説明図である。
【図１０】図９に示した補強片を折り曲げて通孔から挿通させた提手紐の端部を接着固定する前の状態を示す手提げ袋の要部断面図である。
【図１１】手提げ袋の口元部の内面に設けた折返線の上側に補強片を接着させた手提げ袋を展開させて内面を示した説明図である。
【図１２】手提げ袋の口元部の内面に設けた折返線の下側に補強片を接着させた手提げ袋を展開させて内面を示した説明図である。
【図１３】図１２に示した手提げ袋の折返線の内部に通孔から挿通させた提手紐の端部を接着固定する前の状態を示す説明図である。
【図１４】手提げ袋の口元部に設けた従来の挿通孔と提手紐との関係を示す拡大説明図である。
【図１５】本発明に係る実施形態の手提げ袋に設けた通孔を示す要部拡大説明図である。
【図１６】図１５に示す手提げ袋に設けた通孔と提手紐との関係を示す要部拡大説明図である。
【図１７】本発明に係る第２実施形態の手提げ袋に設けた通孔を示す要部拡大説明図である。
【図１８】図１７に示す手提げ袋に設けた通孔と提手紐との関係を示す要部拡大説明図である。
【図１９】本発明に係る第３実施形態の手提げ袋に設けた通孔を示す要部拡大説明図である。
【図２０】本発明に係る第４実施形態の手提げ袋に設けた通孔を示す要部拡大正面図である。
【図２１】図１５に示す通孔を変形させた他の例を示す要部拡大正面図である。
【図２２】本発明に係る第５実施形態の手提げ袋に設けた通孔を示す要部拡大正面図である。
【図２３】図１７に示した通孔の蓋片に凹入部を設けた要部拡大断面図である。
【符号の説明】
【００４３】
１      手提げ袋
６ａ    補強片
６ｂ    補強片
８      提手紐
８ａ    端部
２１      口元補強部  
２２      円形部
２３      水平線
２３ａ    弧状曲線
２４      半円切取線
２５      通孔
２７      切込線
２８      カバー片
２９      折線
３２      蓋片
３３      凹入部
２４      半円切取線
２５      通孔
２６      空間部分
２７      切込線
Ｏ      円形部の中心
【図１】
2005080705.tif 000003
【図２】
2005080705.tif 000004
【図３】
2005080705.tif 000005
【図４】
2005080705.tif 000006
【図５】
2005080705.tif 000007
【図６】
2005080705.tif 000008
【図７】
2005080705.tif 000009
【図８】
2005080705.tif 000010
【図９】
2005080705.tif 000011
【図１０】
2005080705.tif 000012
【図１１】
2005080705.tif 000013
【図１２】
2005080705.tif 000014
【図１３】
2005080705.tif 000015
【図１４】
2005080705.tif 000016
【図１５】
2005080705.tif 000017
【図１６】
2005080705.tif 000018
【図１７】
2005080705.tif 000019
【図１８】
2005080705.tif 000020
【図１９】
2005080705.tif 000021
【図２０】
2005080705.tif 000022
【図２１】
2005080705.tif 000023
【図２２】
2005080705.tif 000024
【図２３】
2005080705.tif 000025